(57)【要約】      （修正有）【課題】光源が出射した光をリフレクタが受け、リフレクタが捉える光を広範囲に反射させて反射光を有効に活用し少ない光源数でも照度を上げることが可能な、光源反射ユニットを提供する。【解決手段】ＬＥＤ１０と、ＬＥＤが出射する光を反射する内面を備えたリフレクタ２０と、リフレクタの中央に配設されたＬＥＤ着設用のベース３０とを有する。リフレクタは、皿状に形成されるとともに、ＬＥＤより出射される光を反射させる傾斜面底部中央の周縁に形成される。ベースは、縦断面形状が山形に形成され、山形の斜面にＬＥＤが着設される。ＬＥＤが出射する光をリフレクタの傾斜面より上方へ反射する。【選択図】図１
0003142331.tif 000002
【実用新案登録請求の範囲】
【請求項１】
ＬＥＤ１０と、該ＬＥＤ１０が出射する光を反射する内面を備えたリフレクタ２０と、該リフレクタの中央に配設されたＬＥＤ着設用のベース３０とを有し、
前記リフレクタ２０は、皿状に形成されるとともに、前記ＬＥＤ１０より出射される光を反射させる傾斜面２２，２３，２４が底部中央の周縁に形成され、
前記ベース３０は、縦断面形状が山形に形成され、山形の斜面に前記ＬＥＤが着設され、
前記ＬＥＤが出射する光を前記リフレクタの傾斜面より上方へ反射することを特徴とする光源反射ユニット。
【考案の詳細な説明】
【技術分野】
【０００１】  本考案は、光源反射ユニットに関するものである。
【背景技術】
【０００２】  京都議定書に定められた温暖化ガス削減目標の達成のために省エネルギー法が改正される情勢にある。新制度では、原油換算で年間１５００キロリットル以上のエネルギーを消費する企業を「特定事業者」として、年間エネルギー使用量の報告と省エネ設備の更新など今後３−５年の中長期計画の作成を義務付けることとされる。この点、コンビニエンスストアやファミリーレストランなどのフランチャイズチェーンも一体として一企業とみなすことで、規制の対象になるとされているため、すでに省エネ型照明への交換、空調設備の更新など法改正を見越した対応を進める企業も出てきている。【０００３】  ＬＥＤは耐用年数が長く、電力節約型で環境保護の観点から優れており、装飾灯（例えば、水中ライト）や指示灯（例えば、交通信号ランプ）に使用されている。【０００４】
【特許文献１】  特開２００８−２７９１０号公報
【０００５】  しかしながら、ＬＥＤは単位出力で発生する発光輝度が不足し、また照明角度の不足などの問題点が存在し、照明用途には適していない。
【考案の開示】
【考案が解決しようとする課題】
【０００６】  本考案は、光源が出射する光をリフレクタを介して反射させることにより広範囲に反射させ、複数個のリフレクタを連設して行列状に配置することによりリフレクタ前方に位置するサイン面板等の全体に均一な反射光を与えられることが可能となり、少ない光源数でも照度がアップすることを見出し、この知見に基づいて本考案をなすに至った。【０００７】  従って、本考案の目的は、光源が出射した光をリフレクタが受け（捕捉し）、リフレクタが捉える光を広範囲に反射させて反射光を有効に活用し少ない光源数でも照度を上げることが可能な、光源反射ユニットを提供することにある。【０００８】  本考案の他の目的は、組み立てが簡単な、光源反射ユニットを提供することにある。
【課題を解決するための手段】
【０００９】  上記課題を解決するため本考案によれば、ＬＥＤと、ＬＥＤが出射する光を反射する内面を備えたリフレクタと、リフレクタの中央に配設されたＬＥＤ着設用のベースとを有し、リフレクタは、皿状に形成されるとともに、ＬＥＤより出射される光を反射させる傾斜面を底部中央の周縁に形成し、ベースは、縦断面形状を山形に形成し、山形の斜面にＬＥＤを着設し、ＬＥＤが出射する光をリフレクタの傾斜面より上方へ反射することを特徴とする光源反射ユニットが提供される
【考案の効果】
【００１０】  以上のような本考案によれば、次の効果を奏する。
１．  光源が出射した光をリフレクタが受け、リフレクタが捉える光を広範囲に反射さ      せて反射光を有効に活用し少ない光源数でも照度を上げることができる光源反射ユ      ニットが得られる。
２．  組み立てが簡単な光源反射ユニットが得られる。
【考案を実施するための最良の形態】
【００１１】  光源反射ユニットは、ＬＥＤと、該ＬＥＤが出射する光を反射する内面を備えたリフレクタと、該リフレクタの中央に配設されたＬＥＤ着設用のベースとを有している。前記リフレクタは、皿状に形成されるとともに、前記ＬＥＤより出射される光を反射させる傾斜面を底部中央の周縁に形成し、前記ベースは、縦断面形状を山形に形成し、山形の斜面に前記ＬＥＤを着設し、前記ＬＥＤが出射する光を前記リフレクタの傾斜面より上方へ反射する。
【実施例】
【００１２】  図１、図２に、本考案に係る光源反射ユニットの実施例を示す。
図１は、光源反射ユニットの斜視図、
図２は、光源反射ユニットの構成部品を分離した状態を示す斜視図である。【００１３】  これらの図において、本考案に係る光源反射ユニット１は、ＬＥＤ１０と、該ＬＥＤ１０が出射する光を反射する内面を備えたリフレクタ２０と、該リフレクタの中央に配設されたＬＥＤ着設用のベース３０とを有している。【００１４】  前記リフレクタ２０は、皿状に形成されるとともに、前記ＬＥＤ１０より出射される光を反射させる傾斜面２２，２３，２４が底部中央の周縁に形成されている。【００１５】  前記ベース３０は、縦断面形状が山形に形成され、山形の斜面に前記ＬＥＤ１０が着設される。【００１６】  かくして、前記ＬＥＤ１０が出射する光を前記リフレクタ２０の傾斜面より上方へ反射し、前記ＬＥＤ１０が出射する光の反射光のすべてを捉えて前記リフレクタ２０に溜めて反射させ、前記ＬＥＤ１０が出射する光を広範囲に反射させることが可能となる（図４参照）。【００１７】  上記の光源反射ユニット１を行列状に連設して配設し光源反射ユニット群を構成することによりリフレクタ前方に位置するサイン面板全体に均一な反射光を与えられることが可能となり、少ない光源数でも照度がアップする（図５乃至図７参照）。
符号１１はＬＥＤに電源を供給する電線、２７は電線導出孔である。
【図面の簡単な説明】
【００１８】
【図１】  本考案に係る光源反射ユニットの斜視図である。
【図２】  光源反射ユニットの構成部品を分離した状態を示す斜視図である。
【図３】  図１のＸ−Ｘ断面の端面図である。
【図４】  光源が出射する光の反射光のすべてを捉えてリフレクタに溜めて反射させることを示す正面略図である。
【図５】  図１の光源反射ユニットを複数個連設して形成した光源反射ユニット群を示す斜視図である。
【図６】  光源反射ユニットを複数個連設して形成した光源反射ユニット群をケースに取り付ける状態を示す斜視図である。
【図７】  光源反射ユニットを複数個連設して形成した光源反射ユニット群から構成された光源反射体（光源反射体パネル）をファサードサインの光源とした状態を示す斜視図である。
【符号の説明】
【００１９】  １      光源反射ユニット
１０    ＬＥＤ
２０    リフレクタ
３０    ベース
【図１】
0003142331.tif 000003
【図２】
0003142331.tif 000004
【図３】
0003142331.tif 000005
【図４】
0003142331.tif 000006
【図５】
0003142331.tif 000007
【図６】
0003142331.tif 000008
【図７】
0003142331.tif 000009